(57)【要約】【課題】経年変化や温度変化によって光源の発光特性が変動した場合であっても、光源の光量を適切な設定範囲で調整することができる照明装置及び該照明装置をバックライトとして用いる表示装置を提供する。【解決手段】照明装置は、光源１における最大光量から最小光量にわたる全範囲においてユーザが所望する光量の設定を受け付ける設定部７と、光源１からの光量を測定し、光量に応じたレベルの信号を出力する光センサ５と、設定部７で受け付けられた設定に基づき、光源１からの光量の目標値を算出する目標値算出部４と、光センサ５からの出力及び算出された目標値に基づき調光信号を調整する調光制御部３とを備える照明装置において、設定部７で受け付けられた設定が所定の条件を満たすか否かを判定する判定部８とを備える。【選択図】図１
2013211218.tif 000002
【特許請求の範囲】
【請求項１】
調光信号を入力され、該調光信号に基づき光量が変化する光源と、前記光源における最大光量から最小光量にわたる全範囲においてユーザが所望する光量の設定を受け付ける設定部と、前記光源からの光量を測定し、光量に応じたレベルの信号を出力する光学センサと、前記設定部で受け付けられた設定に基づき、前記光源からの光量の目標値を算出する目標値算出部と、前記光学センサからの出力及び算出された目標値に基づき前記調光信号を調整する調光制御部とを備える照明装置において、
前記光源の調光特徴量が所定の条件を満たすか否かを判定する判定部と
を備えることを特徴とする照明装置。
【請求項２】
前記調光特徴量は、前記設定部で受け付けられた設定であり、
前記判定部は、前記設定部で受け付けられた設定が第１の閾値以下または／かつ第１の閾値より小さい第２の閾値以上であるか否かを判定すること
を特徴とする請求項１に記載の照明装置。
【請求項３】
周辺温度を検出する温度センサを更に備え、
前記目標値算出部は、前記温度センサにより検出された温度に基づき目標値を算出すること
を特徴とする請求項１又は２に記載の照明装置。
【請求項４】
前記調光特徴量は、前記光学センサからの出力であり、
前記判定部は、前記光学センサからの出力が第１の閾値以下または／かつ第１の閾値より小さい第２の閾値以上であるか否かを判定すること
を特徴とする請求項３に記載の照明装置。
【請求項５】
前記調光特徴量は、前記調光制御部で調整された調光信号であり、
前記判定部は、前記調光制御部で調整された調光信号が第１の閾値以下または／かつ第１の閾値より小さい第２の閾値以上であるか否かを判定すること
を特徴とする請求項３に記載の照明装置。
【請求項６】
前記調光特徴量は、前記目標値算出部で算出された目標値であり、
前記判定部は、前記目標値算出部で算出された目標値が第１の閾値以下または／かつ第１の閾値より小さい第２の閾値以上であるか否かを判定すること
を特徴とする請求項３に記載の照明装置。
【請求項７】
前記判定部の判定結果をユーザに通知する通知部を更に備え、
該通知部は、前記判定部の判定結果に基づき、ユーザが前記設定部で設定した光量の出力可否をユーザに通知すること
を特徴とする請求項１乃至６に記載の照明装置。
【請求項８】
前記判定部は、前記調光特徴量が前記第１の閾値を超える、または前記調光特徴量が前記第２の閾値に満たないと判断した場合、前記目標値算出部は、前記設定部における設定範囲を前記光源における最大光量より小さい第１の光量または／かつ前記光源における最小光量よりも大きい第２の光量の範囲に制限すること
を特徴とする請求項1乃至７に記載の照明装置。
【請求項９】
前記判定部は、前記設定部の設定範囲が制限されている場合に、前記調光特徴量が前記第１の閾値以下または／かつ前記第２の閾値以上であると判断した場合、前記目標値算出部は、前記設定部における設定範囲の制限を解除すること
を特徴とする請求項８に記載の照明装置。
【請求項１０】
前記目標値算出部は、前記調光特徴量に対して所定の不感帯を有していること
を特徴とする請求項９に記載の照明装置。
【請求項１１】
前記通知部は、前記目標値算出部によって前記設定部の設定範囲が制限されたとき、および前記設定部の設定範囲の制限が解除されたときに通知を行うこと
を特徴とする請求項９または１０に記載の照明装置。
【請求項１２】
前記通知部は、前記判定部の判定結果が変更になったときのみ通知を行うこと
を特徴とする請求項７又は１１に記載の照明装置。
【請求項１３】
請求項１乃至１２のいずれか１つの照明装置を備え、該照明装置からの光を色別に変調させて画像を表示することを特徴とする表示装置。
【発明の詳細な説明】
【技術分野】
【０００１】
本発明は、設定される輝度で安定して点灯する照明装置に関し、特に、光源からの光量を適切な設定範囲で調整可能とした照明装置および該照明装置をバックライトとして用いる液晶表示装置に関する。
【背景技術】
【０００２】
従来、照明装置には、使用時間帯や使用場所、またはユーザの好みによって照明装置の光量を調整可能なものがある。周辺環境が明るいときには、ユーザが最大輝度となるように照明装置の光量を調整し、周辺環境が暗いときには光量を絞って、目が疲れないようにする場合がある。また、照明装置によっては、周辺環境の照度に応じて光量を自動的に調整するものもある。特に、このような照明装置をバックライトとして用いる液晶表示装置では、ユーザの好みの輝度又は色温度で画像を表示できるようにＯＳＤ（On Screen Display）等によって調整可能なものが多い。
【０００３】
一方、照明装置に用いられる光源は、経年変化や周囲温度等の環境要因に伴って発光効率が変動する特性を有しているため、これらを補償するために光源からの光量をフィードバック制御している。
【０００４】
特許文献１には、液晶表示装置におけるバックライトの輝度制御装置に関する発明が開示されている。この装置を備える液晶表示装置は、バックライトの光量を検出する光センサを内蔵しており、新規使用状態にあるバックライトが最大輝度で点灯しているときの光量の検出結果（電流電圧変換後の電圧値）を基準（ＭＡＸ）として光量を検出し、ユーザが設定した輝度となるように調光信号を調整するように構成されている。
【先行技術文献】
【特許文献】
【０００５】
【特許文献１】特開平１０−２２２１２９号公報
【発明の概要】
【発明が解決しようとする課題】
【０００６】
しかしながら、特許文献１に開示された制御装置では、光センサからの出力をフィードバックさせて精度良く光源の光量を制御することができるものの、経年変化や周囲温度等によって光源の発光効率が変動し、調光信号の調整が不可能となった場合については考慮されていないという問題がある。
【０００７】
図２７は従来の照明装置における課題を模式的に示す説明図である。図３は横軸に、０〜１００の１０１段階でユーザの設定値を示し、縦軸に光源からの光量をグラフで示している。
【０００８】
照明装置に用いられる光源の最大光量設範囲が１０％から１００％であるとする。グラフ中のａは、光源の最大光量設範囲を示す。従来の照明装置では、例えば、光源の設定範囲を１０％から９０％とし、ユーザの設定値が０から１００の１０１段階で光量を調整することが可能なように構成されている。グラフ中のｂは、従来の照明装置の光量設範囲を示す。しかし、照明装置に用いられる光源は、経年変化や周囲温度等の環境要因に伴って発光効率が変動するため、グラフ中のｃに示すように、ユーザが設定値を変更しても光源の光量が変化しない場合がある。
【０００９】
本発明は斯かる事情に鑑みてなされたものであり、経年変化や温度変化によって光源の発光特性が変動した場合であっても、光源の光量を適切な設定範囲で調整することができる照明装置及び該照明装置をバックライトとして用いる表示装置を提供することを目的とする。
【課題を解決するための手段】
【００１０】
本発明に係る照明装置は、調光信号を入力され、該調光信号に基づき光量が変化する光源と、前記光源における最大光量から最小光量にわたる全範囲においてユーザが所望する光量の設定を受け付ける設定部と、前記光源からの光量を測定し、光量に応じたレベルの信号を出力する光学センサと、前記設定部で受け付けられた設定に基づき、前記光源からの光量の目標値を算出する目標値算出部と、前記光学センサからの出力及び算出された目標値に基づき前記調光信号を調整する調光制御部とを備える照明装置において、前記光源の調光特徴量が所定の条件を満たすか否かを判定する判定部とを備えることを特徴とする。
【００１１】
本発明に係る照明装置は、前記調光特徴量は、前記設定部で受け付けられた設定であり、前記判定部は、前記設定部で受け付けられた設定が第１の閾値以下または／かつ第１の閾値より小さい第２の閾値以上であるか否かを判定することを特徴とする。
【００１２】
本発明に係る照明装置は、周辺温度を検出する温度センサを更に備え、前記目標値算出部は、前記温度センサにより検出された温度に基づき目標値を算出することを特徴とする。
【００１３】
本発明に係る照明装置は、前記調光特徴量は、前記光学センサからの出力であり、前記判定部は、前記光学センサからの出力が第１の閾値以下または／かつ第１の閾値より小さい第２の閾値以上であるか否かを判定することを特徴とする。
【００１４】
本発明に係る照明装置は、前記調光特徴量は、前記調光制御部で調整された調光信号であり、前記判定部は、前記調光制御部で調整された調光信号が第１の閾値以下または／かつ第１の閾値より小さい第２の閾値以上であるか否かを判定することを特徴とする。
【００１５】
本発明に係る照明装置は、前記調光特徴量は、前記目標値算出部で算出された目標値であり、前記判定部は、前記目標値算出部で算出された目標値が第１の閾値以下または／かつ第１の閾値より小さい第２の閾値以上であるか否かを判定することを特徴とする。
【００１６】
本発明に係る照明装置は、前記判定部の判定結果をユーザに通知する通知部を更に備え、該通知部は、前記判定部の判定結果に基づき、ユーザが前記設定部で設定した光量の出力可否をユーザに通知することを特徴とする。
【００１７】
本発明に係る照明装置は、前記判定部は、前記調光特徴量が前記第１の閾値を超える、または前記調光特徴量が前記第２の閾値に満たないと判断した場合、前記目標値算出部は、前記設定部における設定範囲を前記光源における最大光量より小さい第１の光量または／かつ前記光源における最小光量よりも大きい第２の光量の範囲に制限することを特徴とする。
【００１８】
本発明に係る照明装置は、前記判定部は、前記設定部の設定範囲が制限されている場合に、前記調光特徴量が前記第１の閾値以下または／かつ前記第２の閾値以上であると判断した場合、前記目標値算出部は、前記設定部における設定範囲の制限を解除することを特徴とする。
【００１９】
本発明に係る照明装置は、前記目標算出部は、前記調光特徴量に対して所定の不感帯を有していることを特徴とする。
【００２０】
本発明に係る照明装置は、前記通知部は、前記目標値算出部によって前記設定部の設定範囲が制限されたとき、および前記設定部の設定範囲の制限が解除されたときに通知を行うことを特徴とする。
【００２１】
本発明に係る照明装置は、前記通知部は、前記判定部の判定結果が変更になったときのみ通知を行うことを特徴とする。
【００２２】
本発明に係る表示装置は、上述の発明のうちのいずれか１つの照明装置を備え、該照明装置からの光を変調させて画像を表示することを特徴とする。
【００２３】
本発明では、調光することが可能な光源が用いられ、光源の調光特徴量に基づき、ユーザが所望する設定で光源が発光可能か否かを判定する。判定結果は通知部によってユーザに通知される。
なお、通知の方法は、ＬＥＤ（Light Emitting Diode）等を用いた警告ランプの表示色を変更してもよいし、点滅等の点灯状態を変更してもよい。また、本発明を表示装置のバックライトとして用いる場合は、ＯＳＤを用いた表示でもよい。これにより、温度変化、経年変化等によって光源の発光効率が変動した場合であっても、ユーザが光源の光量を適切な設定範囲で調整することが可能である。
【００２４】
本発明では、光源からの光量をユーザが設定部を操作することにより目標光量の設定が行われるに際し、受け付けられた設定に対する第１の閾値または／かつ第１の閾値より小さい第２の閾値を持たせ、受け付けられた設定が第１の閾値以下または／かつ第２の閾値以上であるか否かによって、ユーザが所望する設定で光源が発光可能か否かを判定する。これにより、経年変化等によって光源の発光効率が変動した場合であっても、ユーザが光源の光量を適切な設定範囲で調整することが可能である。
なおこのとき、第１の閾値とは、経年変化等や環境温度の変動等によって光源の発光効率が変動した場合であっても発光し得る光量の上限値であり、第２の閾値とは、経年変化等や環境温度の変動等によって光源の発光効率が変動した場合であっても発光し得る光量の下限値である。
【００２５】
本発明では、目標値は周辺温度（例えば光源周辺、又は装置周辺の環境温度）の検出結果に基づき算出され、当該目標値で安定するように調光信号が調整される。これにより、光源の発光効率が変動するような周辺温度の変化があったときでも、より適切に精度良く光源から発光させる光量を制御することが可能である。
【００２６】
本発明では、光源からの光量を光学センサにて測定し、光源からの光の特性の目標値と測定結果に基づき前記光源での調光を制御するに際し、光学センサの出力に対する第１の閾値または／かつ第１の閾値より小さい第２の閾値を持たせ、受け付けられた設定が第１の閾値以下または／かつ第２の閾値以上であるか否かによって、ユーザが所望する設定で光源が発光可能か否かを判定する。これにより、経年変化等や環境温度の変動等によって光源の発光効率が変動した場合であっても、ユーザが光源の光量を適切な設定範囲で調整することが可能である。
なおこのとき、第１の閾値とは、経年変化等や環境温度の変動等によって光源の発光効率が変動した場合であっても発光し得る光量に対応する光センサ値の上限値であり、第２の閾値とは、経年変化等や環境温度の変動等によって光源の発光効率が変動した場合であっても発光し得る光量に対応する光センサ値の下限値である。
【００２７】
本発明では、光源からの光量を光学センサにて測定し、光源からの光の特性の目標値と測定結果に基づき前記光源での調光を制御するに際し、調光制御部で調整された調光信号に対する第１の閾値または／かつ第１の閾値より小さい第２の閾値を持たせ、受け付けられた設定が第１の閾値以下または／かつ第２の閾値以上であるか否かによって、ユーザが所望する設定で光源が発光可能か否かを判定する。これにより、経年変化等や環境温度の変動等によって光源の発光効率が変動した場合であっても、ユーザが光源の光量を適切な設定範囲で調整することが可能である。
なおこのとき、第１の閾値とは、経年変化等や環境温度の変動等によって光源の発光効率が変動した場合であっても発光し得る光量に対応する調光信号値の上限値であり、第２の閾値とは、経年変化等や環境温度の変動等によって光源の発光効率が変動した場合であっても発光し得るに対応する調光信号値の下限値である。
【００２８】
本発明では、ユーザが設定部を操作することにより目標光量の設定が行われ、目標値を受け付けられた設定に基づき算出するに際し、目標値算出部で算出された目標値に対する第１の閾値または／かつ第１の閾値より小さい第２の閾値を持たせ、受け付けられた設定が第１の閾値以下または／かつ第２の閾値以上であるか否かによって、ユーザが所望する設定で光源が発光可能か否かを判定する。これにより、フィードバックを待つ間の光量の変化を回避でき、かつ経年変化等や環境温度の変動等によって光源の発光効率が変動した場合であっても、ユーザが光源の光量を適切な設定範囲で調整することが可能である。
なおこのとき、第１の閾値とは、経年変化等や環境温度の変動等によって光源の発光効率が変動した場合であっても発光し得る光量に対応する目標値の上限値であり、第２の閾値とは、経年変化等や環境温度の変動等によって光源の発光効率が変動した場合であっても発光し得るに対応する目標値の下限値である。
【００２９】
本発明では、調光することが可能な光源が用いられ、光源の調光特徴量に基づき、ユーザが所望する設定で光源が発光可能か否かを判定する。判定結果は通知部によってユーザに通知される。
なお、通知の方法は、ＬＥＤ（Light Emitting Diode）等を用いた警告ランプの表示色を変更してもよいし、点滅等の点灯状態を変更してもよい。また、本発明を表示装置のバックライトとして用いる場合は、ＯＳＤを用いた表示でもよい。これにより、温度変化、経年変化等によって光源の発光効率が変動した場合であっても、ユーザが光源の光量を適切な設定範囲で調整することが可能である。
【００３０】
本発明では、判定部によって調光特徴量が所定の条件を満たすと判定された場合は、最大光量から最小光量の範囲で光量を設定できる。一方、判定部によって調光特徴量が所定の条件を満たさないと判定された場合は、目標値算出部によって最大光量より小さい第１の光量または／かつ最小光量よりも大きい第２の光量の範囲に制限され、自動的に最大光量より小さい第１の光量または最小光量より大きい第２の光量に設定される。これにより、光源が発光不可能な光量を設定した場合であっても、自動的に最適な光量に設定することが可能である。
【００３１】
本発明では、目標値算出部が設定部の設定範囲を制限している場合に、環境温度の変化等なんらかの要因により、調光特徴量が所定の条件を満たす値に変動した場合、目標値算出部は設定部の設定範囲の制限を解除する。これにより、設定部の設定範囲が制限されている場合であっても、環境温度の変化等なんらかの要因によりユーザが設定した光量で光源が発光可能となった場合、自動的に最適な光量に再設定することが可能である。
【００３２】
本発明では、調光特徴量に応じて光量設定範囲の制限を解除するに際し、調光特徴量に対する不感帯が設定されることにより、光量設定範囲の制限および制限解除が頻繁に切り替えられない。
ここでいう不感帯とは、光源の調光特徴量に対する第１の閾値とこれに対応する第１の裕度とを持たせ、調光特徴量と第１の閾値の差分が第１の裕度よりも小さい場合は光量設定範囲の制限が解除されないこととする。同様に、第１の閾値よりも小さい第２の閾値についても、第２の裕度をもたせ、調光特徴量と第２の閾値の差分が第２の裕度よりも小さい場合は光量設定範囲の制限が制限されないこととする。
なおこのとき、設定範囲の制限解除の基準となる第１の閾値と第３の閾値との間の差分及び第２の閾値と第４の閾値との差分は、環境温度のゆらぎや光学センサからの出力信号に対するリップルやノイズ度を考慮して設定されることが好ましい。
更に第２の方法として、光量設定範囲の制限解除にヒステリシスを持たせる。つまり、光源の調光特徴量に応じた光量設定範囲の制限および制限解除の判断が、第１の閾値のみならず、第１の閾値よりも小さい第３の閾値を基準として制御される。第１の閾値よりも小さい第２の閾値についても同様に、第２の閾値よりも大きい第４の閾値を基準として制御される。これにより、光量設定範囲の制限および制限解除の切り替えが過度に頻繁に変更されるのを回避することが可能になる。
【００３３】
本発明では、前記通知部は、前記目標値算出部によって前記設定部の設定範囲が制限されたとき、および前記設定部の設定範囲の制限が解除されたときに通知を行う。これにより、光量の設定範囲が常時通知されている状態を回避し、ユーザが煩わしさを感じることなく、適切な光量の設定範囲を通知させることが可能である。
【００３４】
本発明では、判定部の判定結果が変更になった場合のみ、判定結果をユーザに通知する。これにより、判定結果が常時通知されている状態を回避し、ユーザが煩わしさを感じることなく、所望する設定で光源が発光可能か否かを通知させることが可能である。
【発明の効果】
【００３５】
本発明による場合、光源の調光特徴量に応じて光量設定可否の判定や光量設定範囲の切り替えができるので、経年変化や温度変化によって光源の発光特性が変動した場合であっても、光源の光量を適切な設定範囲で調整することができる。
【図面の簡単な説明】
【００３６】
【図１】実施の形態１における照明装置の構成を示すブロック図である。
【図２】実施の形態１における照明装置にて実行される設定輝度確認の処理手順を示すフローチャートである。
【図３】実施の形態２における照明装置の構成を示すブロック図である。
【図４】実施の形態２における照明装置にて実行される設定輝度確認の処理手順を示すフローチャートである。
【図５】実施の形態３における照明装置の構成を示すブロック図である。
【図６】実施の形態３における照明装置にて実行される測定値確認の処理手順を示すフローチャートである。
【図７】実施の形態４における照明装置の構成を示すブロック図である。
【図８】実施の形態４における照明装置にて実行される調光信号確認の処理手順を示すフローチャートである。
【図９】実施の形態５における照明装置の構成を示すブロック図である。
【図１０】実施の形態５における照明装置にて実行される目標輝度確認の処理手順を示すフローチャートである。
【図１１】実施の形態６における照明装置の構成を示すブロック図である。
【図１２】実施の形態６における照明装置にて実行される目標輝度値制限の処理手順を示すフローチャートである。
【図１３】実施の形態６における照明装置にて実行される別の目標輝度値制限の処理手順を示すフローチャートである。
【図１４】実施の形態６における照明装置にて実行される目標輝度値制限解除の処理手順を示すフローチャートである。
【図１５】実施の形態６の変形例１における照明装置の構成を示すブロック図である。
【図１６】実施の形態６の変形例２における照明装置の構成を示すブロック図である。
【図１７】実施の形態６の変形例３における照明装置の構成を示すブロック図である。
【図１８】実施の形態７における照明装置に構成を示すブロック図である。
【図１９】実施の形態７における照明装置にて実行される目標輝度値制限解除の処理手順を示すフローチャートである。
【図２０】実施の形態７における照明装置にて実行される目標輝度値制限解除の処理手順を示すフローチャートである。
【図２１】実施の形態７の変形例１における照明装置の構成を示すブロック図である。
【図２２】実施の形態７の変形例２における照明装置の構成を示すブロック図である。
【図２３】実施の形態７の変形例３における照明装置の構成を示すブロック図である。
【図２４】実施の形態８における照明装置に構成を示すブロック図である。
【図２５】実施の形態８の変形例における照明装置に構成を示すブロック図である。
【図２６】実施の形態９における表示装置の構成を示すブロック図である。
【図２７】従来の照明装置における課題を模式的に示す説明図である。
【発明を実施するための形態】
【００３７】
以下、本発明をその実施の形態を示す図面に基づいて具体的に説明する。
【００３８】
＜実施の形態１＞
実施の形態１では、記憶部９に輝度設定値に対して、高輝度領域に対する閾値を記憶しておき、判定部８は閾値に基づき光量設定可否の判定を行う。
【００３９】
図１は、実施の形態１における照明装置の構成を示すブロック図である。実施の形態１における照明装置は、後述するように表示装置にてバックライトとして用いられる照明装置でもよいし、室内外を照らす照明であってもよい。照明装置は、光源１と、光源１を駆動させる光源駆動部２と、光源駆動部２へ調光信号を出力する調光制御部３と、調光制御部３が目標とする目標輝度値を算出する目標値算出部４と、光源１からの光量を測定する光センサ５と、光センサ５より出力された信号から測定値を取得する測定値取得部６と、光源１の光量を設定する設定部７と、設定部７を操作することにより設定される光量が光源１において出力可能か否かを判定する判定部８と、第１の閾値９ａを予め記憶してある記憶部９と、判定部８の判定結果を通知する通知部１０とを備える。
【００４０】
光源１は例えばＬＥＤを用いる。光源１は、ＣＣＦＬ（Cold Cathode Fluorescent Lamp）、ＯＬＥＤ（Organic Light Emitting Diode）、又はレーザー光源を用いてもよい。
【００４１】
光源駆動部２は、入力する調光信号に基づき光源１への駆動電流を制御する。
【００４２】
調光制御部３は、目標値算出部４から得られる目標輝度値と、測定値取得部６から得られる光源１からの光量とを比較し、光源１からの光量が目標値に合うようにＰＷＭ（Pulse Width Modulation）制御による調光信号を光源駆動部２へ与える。なお、調光制御部３は、なお、調光制御部３による調光制御はＰＷＭ制御に限られず、ＤＣ（Direct Current）制御による調光信号を用いて制御してもよい。
【００４３】
目標値算出部４は、予め設定してある目標輝度値、又は以下の各実施の形態で説明するように、設定部７の操作によってユーザが設定した設定輝度値、若しくは種々のセンサによる検出値に基づき、光源１の目標輝度値を算出し、調光制御部３へ与える。なお、目標値算出部４は、目標輝度値ではなく、目標色度値、目標発光強度値、又は目標三刺激値など、光源１からの光の他の特性に対する目標値を算出し、調光制御部３へ与えるようにしてもよい。
【００４４】
光センサ５は、例えば、フォトトランジスタ又はフォトダイオードなどの受光素子を用い、検出した光量に応じた電流値を出力する。
【００４５】
測定値取得部６は、光センサ５からの出力を電流電圧変換し、ＡＤ変換器を備え、アナログ信号（電圧値）をデジタルの測定値に変換して出力する。
【００４６】
設定部７は、ユーザによる輝度値の設定を受け付ける構成とする。勿論、受け付けられる設定値は輝度値のみならず、色度値、発光強度値、又は三刺激値などでもよい。設定部７は、照明装置に設けられたボタン等で構成され、ユーザが押下することが可能である。例えば、「プラス」ボタン、及び「マイナス」ボタンであり、ユーザがこれらのボタンを押下する毎に、最大光量から最小光量まで連続的でも良いし、一定の値ごとに上げ下げされて設定されてもよい。照明装置が表示装置のバックライトとして使用される場合には、設定輝度値は表示装置のＯＳＤによって表示され、表示装置本体に設けられたボタン等をユーザが操作することにより光量が設定される。
【００４７】
判定部８は、記憶部９に予め記憶してある閾値９ａを読み出すことが可能である。判定部８は、設定部７の操作によって設定された設定輝度値Ｎ１（調光特徴量）が、記憶部９に記憶してある閾値９ａ以下であるかを判断し、設定輝度値Ｎ１が閾値９ａより小さい場合は、ユーザが設定した輝度値は有効と判断し、閾値９ａ以上の場合には、ユーザが設定した輝度値は無効と判断する。
【００４８】
記憶部９は、閾値９ａを予め記憶してある。閾値９ａは、経年変化等や環境温度の変動等によって光源の発光効率が変動した場合であっても光源１が出力し得る輝度の上限値である。
【００４９】
通知部１０は、判定部８の判定結果をユーザに通知する。通知の方法は、ＬＥＤ等を用いた警告ランプの表示色を変更してもよいし、点滅等の点灯状態を変更してもよい。また、本発明を表示装置のバックライトとして用いる場合は、ＯＳＤを用いて判定部８の判定結果を通知してもよいし、ユーザに輝度値の再設定を促す警告表示でもよい。
なお、通知部１０は、判定部８の判定結果が変更になった場合のみ通知を行うことが好ましい。
【００５０】
図２は、実施の形態１における照明装置にて実行される設定輝度確認の処理手順を示すフローチャートである。照明装置は、起動時、または、設定輝度値が変更になるようなトリガが発生した場合に、以下の処理を実行する。
【００５１】
光量設定可否判定のために判定部８は設定部７より設定輝度値Ｎ１を取得し（ステップＳ１）、取得した設定輝度値Ｎ１が、記憶部９から読み出した閾値９ａを超えるか否かを判断する（ステップＳ２）。判定部８は、設定輝度値Ｎ１が閾値９ａ以下であると判断した場合（Ｓ２：ＹＥＳ）には、処理をそのままステップＳ４へ進める。判定部８は、設定輝度値Ｎ１が閾値９ａを超えると判断した場合（Ｓ２：ＮＯ）には、通知部１０はユーザが設定した輝度値が無効であることを通知する（ステップＳ３）。このとき、通知部１０は、常時通知を行ってもよいが、通知表示開始から一定時間経過後に通知を終了することが望ましい。なお、判定部８の判定結果は、図示しないＳＲＡＭまたはＤＲＡＭ等の書き換え可能なメモリ素子に一時的に記憶するようにしてあり、最新の判定結果が前回の判定結果と一致する場合は、ステップＳ３を省略して、処理をそのままステップＳ４へ進める。
【００５２】
照明装置は目標値算出部４により、目標輝度値を算出する（ステップＳ４）。調光制御部３は、算出してある目標輝度値に基づきパルス幅を調整して調光信号を出力する（ステップＳ５）。
【００５３】
フィードバック制御のために照明装置は、光センサ５からの測定値を取得し（ステップＳ６）、算出されてある目標輝度値と比較し、目標輝度値に近づくようにパルス幅を調整して調光信号を出力する（ステップＳ７）。
【００５４】
照明装置は、ステップＳ７の後に処理をステップＳ６へ戻す。調光制御部３は、測定値取得部６から、増幅された光センサ５からの出力による測定値を取得し（ステップＳ６）、測定値と算出されてある目標輝度値とを比較し、目標輝度値に近づくようにパルス幅を調整して調光信号を出力する（ステップＳ７）処理を繰り返す。照明装置は、照明装置が電源ＯＦＦになるまで又は光量が安定するまで、ステップＳ６〜Ｓ７の処理を繰り返し、光源１が設定輝度値で安定して発光するように制御する。
【００５５】
なお、実施の形態１では、高輝度領域の光量設定可否判定を行っているが、同様の構成で低輝度領域の光量設定可否判定を行うことも可能である。このとき、記憶部９に予め記憶してある閾値９ａは、経年変化等や環境温度の変動等によって光源の発光効率が変動した場合であっても光源１が出力し得る輝度の下限値である。判定部８は、図２のステップＳ２において設定輝度値Ｎ１が閾値９ａ以上か否かを判定し、判定部８は、設定輝度値Ｎ１が閾値以上であると判断した場合（Ｓ２：ＹＥＳ）には、処理をそのままステップＳ４へ進める。判定部８は、設定輝度値Ｎ１が閾値９ａに満たないと判断した場合（Ｓ２：ＮＯ）には、通知部１０は、ユーザが設定した輝度値が無効であることを通知する（ステップＳ３）。
【００５６】
これにより、設定輝度値に応じて光量設定可否の判定が可能であるので、経年変化等によって光源の発光特性が変動した場合であっても、光源の光量を適切な設定範囲で調整することができる。
【００５７】
なお、本発明を実施するにあたっては、判定部８及び目標算出部４の具体的な構成として種々の形態が考えられる。以下、実施の形態２から９にて夫々説明する。各実施の形態２から９において、上述した本発明の照明装置の各構成部のうち、変更がない構成部については同一の符号を付して詳細な説明を省略する。
【００５８】
＜実施の形態２＞
実施の形態２では、記憶部９に輝度設定値Ｎ１に対して、高輝度領域および低輝度領域に対する閾値を複数記憶しておき、判定部８は複数の閾値に基づき光量設定可否の判定を行う。
【００５９】
図３は、実施の形態２における照明装置の構成を示すブロック図である。実施の形態２における照明装置は、２つの閾値が記憶された記憶部９１を参照する判定部８１を備える。
【００６０】
実施の形態２における判定部８１は、記憶部９１に記憶してある第１の閾値９ａｈと第２の閾値９ａｌとを読み出すことが可能である。判定部８１は、設定部７から取得した輝度設定値Ｎ１（調光特徴量）が、記憶部９１に記憶してある第１の閾値９ａｈ以下、かつ、第２の閾値９ａｌ以上の場合には、ユーザが設定した輝度値が有効と判断し、設定部７から取得した輝度設定値Ｎ１が、記憶部９１に記憶してある第１の閾値９ａｈを超える場合、または、第２の閾値９ａｌに満たない場合には、ユーザが設定した輝度値が無効と判断する。
【００６１】
図４は、実施の形態２における照明装置にて実行される設定輝度確認の処理手順を示すフローチャートである。照明装置は、起動時、または、設定輝度値が変更になるようなトリガが発生した場合に、以下の処理を実行する。なお、図４のフローチャートに示す各処理手順の内、図２のフローチャートの処理手順と同一の手順については、同一のステップ番号を付して詳細な説明を省略する。
【００６２】
判定部８１は、設定部７から設定輝度値Ｎ１を取得し（ステップＳ１）、取得した設定輝度値Ｎ１が、記憶部９１から読み出した第１の閾値９ａｈ以下であるか否かを判断する（ステップＳ２１）。判定部８１は、設定輝度値Ｎ１が第１の閾値９ａｈを超えると判断した場合（Ｓ２１：ＮＯ）には、通知部１０は、ユーザが設定した輝度値が無効であることを通知し（ステップＳ３）、判定部８１は、設定輝度値Ｎ１が第１の閾値９ａｈ以下であると判断した場合には（Ｓ２１：ＹＥＳ）、更に、設定輝度値Ｎ１が記憶部９１から読み出した第２の閾値９ａｌ以上であるか否かを判断する（ステップＳ２２）。判定部８１は、設定輝度値Ｎ１が第２の閾値９ａｌに満たない判断した場合には（Ｓ２２：ＮＯ）、通知部１０は、ユーザが設定した輝度値が無効であることを通知し（ステップＳ３）、判定部８１は、設定輝度値Ｎ１が第２の閾値９ａｌ以上であると判断した場合には（Ｓ２２：ＹＥＳ）、処理をそのままステップＳ４へ進める。
【００６３】
これにより、高輝度領域から低輝度領域に渡って光量設定可否の判定が可能であるので、経年変化等によって光源の発光特性が変動した場合であっても、高輝度領域から低輝度領域に至るまで、光源の光量を適切な設定範囲で調整することが可能である。
【００６４】
＜実施の形態３＞
実施の形態３では、照明装置は温度センサを備え、設定部７から設定された光量のみならず、周辺温度に基づいて目標輝度値が算出される構成とする。また、実施の形態３では、判定部８による光量設定可否の判定のタイミングを、光センサ５からの出力を取得した時点とする。
【００６５】
図５は、実施の形態３における照明装置の構成を示すブロック図である。実施の形態３における照明装置は、設定部７のみならず温度センサ１１が接続された目標値算出部４１と、光センサ５からの出力をトリガに光量設定可否を判断する判定部８２、さらに、光センサ５からの出力に対応する閾値を記憶する記憶部９２を備える。その他の構成については、実施の形態２における構成と同様であるので同一の符号を付して詳細な説明を省略する。
【００６６】
また、実施の形態３における照明装置の目標値算出部４１は、温度センサ１１のみならず、照度センサ、カラーセンサ、人感センサ、角速度センサ、加速度センサなどのセンサ群２０と接続される構成としてもよい。
【００６７】
温度センサ１１は、光源１の周辺温度を測定し、測定結果を出力する。
【００６８】
目標値算出部４１は、温度センサ１１にて得られる周辺温度が所定の温度よりも高くなったときに目標輝度値を、例えば最大輝度の６０％の光量に低減させるように算出する。
【００６９】
センサ群２０と接続される場合も目標輝度算出部４１は、照度センサにより光源１から照らされる場所の照度が所定値よりも低下した場合、又は人感センサにより照明装置の周辺に人がいなくなったときにその都度、目標輝度値を低減させるように算出する。また、角速度センサ、加速度センサにより照明装置が動かされたことを検知した場合にその都度、目標輝度値を増加させたり、逆に照明装置が一定期間動かされていない場合に目標輝度値を低減させたりするように算出するなどしてもよい。
【００７０】
実施の形態３における判定部８２は、記憶部９２に記憶してある第１の閾値９ｂｈと第２の閾値９ｂｌとを読み出すことが可能である。判定部８２は、測定値取得部７から取得した測定値Ｎ２（調光特徴量）が、記憶部９２に記憶してある第１の閾値９ｂｈ以下、かつ、第２の閾値９ｂｌ以上の場合には、ユーザが設定した輝度値が有効と判断し、測定値取得部６から取得した測定値Ｎ２が、記憶部９２に記憶してある第１の閾値９ｂｈを超える場合、または、第２の閾値９ｂｌに満たない場合には、ユーザが設定した輝度値が無効と判断する。
【００７１】
図６は、実施の形態３における照明装置にて実行される測定値確認の処理手順を示すフローチャートである。照明装置は、起動時、設定輝度値が変更、または環境温度が変化した場合に、以下の処理を実行する。なお、図６のフローチャートに示す各処理手順の内、図２のフローチャートの処理手順と同一の手順については、同一のステップ番号を付して詳細な説明を省略する。
【００７２】
照明装置は、測定値取得部６により、光センサ５からの出力を取得する。取得された測定値は調光制御部３及び判定部８２へ入力される。
【００７３】
判定部８２は、測定値取得部６から測定値Ｎ２を取得し（ステップＳ６１）、取得した測定値Ｎ２が、記憶部９２から読み出した第１の閾値９ｂｈ以下であるか否かを判断する（ステップＳ６２）。判定部８２は、測定値Ｎ２が第１の閾値９ｂｈを超えると判断した場合には（Ｓ６２：ＮＯ）、通知部１０は、ユーザが設定した輝度値が無効であることを通知し（ステップＳ６４）、判定部８２は、測定値Ｎ２が第１の閾値９ｂｈ以下であると判断した場合には（ＳＳ６２：ＹＥＳ）、更に、測定値Ｎ２が第２の閾値９ｂｌ以上であるか否かを判断する（ステップＳ６３）。測定値Ｎ２が第２の閾値９ｂｌに満たない判断した場合には（Ｓ６３：ＮＯ）、通知部１０は、ユーザが設定した輝度値が無効であることを通知し（ステップＳ６４）、判定部８２は、測定値Ｎ２が第２の閾値９ｂｌ以上であると判断した場合には（Ｓ６３：ＹＥＳ）、処理をそのままステップ７へ進める。
【００７４】
＜実施の形態４＞
実施の形態４では、判定部８による光量設定可否の判定のタイミングを、調光信号が調整された時点とする。
【００７５】
図７は、実施の形態４における照明装置の構成を示すブロック図である。実施の形態４における照明装置は、調光制御部３からの出力をトリガに光量設定可否を判断する判定部８３、さらに、調光制御部３からの出力に対応する閾値を記憶する記憶部９３を備える。その他の構成については、実施の形態３における構成と同様であるので同一の符号を付して詳細な説明を省略する。
【００７６】
実施の形態４における判定部８３は、記憶部９３に記憶してある第１の閾値９ｃｈと第２の閾値９ｃｌとを読み出すことが可能である。判定部８３は、調光制御部３から取得した調光信号Ｎ３（調光特徴量）が、記憶部９３に記憶してある第１の閾値９ｃｈ以下、かつ、第２の閾値９ｃｌ以上の場合には、ユーザが設定した輝度値が有効と判断し、調光制御部３から取得した調光信号Ｎ３が、記憶部９３に記憶してある第１の閾値９ｃｈを超える場合、または、第２の閾値９ｃｌに満たない場合には、ユーザが設定した輝度値が無効と判断する。
【００７７】
図８は、実施の形態４における照明装置にて実行される調光信号確認の処理手順を示すフローチャートである。照明装置は、起動時、設定輝度値が変更、または環境温度が変化した場合に、以下の処理を実行する。なお、図８のフローチャートに示す各処理手順の内、図２のフローチャートの処理手順と同一の手順については、同一のステップ番号を付して詳細な説明を省略する。
【００７８】
照明装置は調光制御部３により、調光信号を調整される（ステップＳ７１）。調整された調光信号は、光源駆動部２及び判定部８へ入力される。
【００７９】
判定部８３は、調整された調光信号Ｎ３が記憶部９３から読み出した第１の閾値９ｃｈ以下であるか否かを判断する（ステップＳ７２）。判定部８３は、調光信号Ｎ３が第１の閾値９ｃｈを超えると判断した場合には（Ｓ７２：ＮＯ）、通知部１０はユーザが設定した輝度値が無効であることを通知し（ステップＳ７４）、判定部８３は、調光信号Ｎ３が第１の閾値９ｃｈ以下であると判断した場合には（Ｓ７２：ＹＥＳ）、更に、調光信号Ｎ３が第２の閾値９ｃｌ以上であるか否かを判断する（ステップＳ７３）。判定部８３は、調光信号Ｎ３が第２の閾値９ｃｌに満たないと判断した場合には（Ｓ７４：ＮＯ）、通知部１０は、ユーザが設定した輝度値が無効であることを通知し（ステップＳ７４）、判定部８３は、調光信号Ｎ３が第２の閾値９ｃｌ以上であると判断した場合には（Ｓ７３：ＹＥＳ）、処理をそのままステップＳ６へ進める。
【００８０】
実施の形態３及び実施の形態４では、光源の目標輝度を変化させる必要があるような装置内部、又は周辺環境の変化があったときでも、光源の光量を適切な設定範囲で調整することが可能である。
【００８１】
＜実施の形態５＞
実施の形態５では、判定部８による光量設定可否の判定のタイミングを、目標輝度値が算出された時点とする。
【００８２】
図９は、実施の形態５における照明装置の構成を示すブロック図である。実施の形態５における照明装置は、目標値算出部４１からの出力をトリガに光量設定可否を判断する判定部８４と目標値算出部４１からの出力に対応する閾値を記憶する記憶部９４を備える。その他の構成については、実施の形態３における構成と同様であるので同一の符号を付して詳細な説明を省略する。
【００８３】
実施の形態５における判定部８４は、記憶部９４に記憶してある第１の閾値９ｄｈと第２の閾値９ｄｌとを読み出すことが可能である。判定部８４は、目標算出部４１から得られた目標輝度値Ｎ４（調光特徴量）が記憶部９４に記憶してある第１の閾値９ｄｈ以下、かつ、第２の閾値９ｄｌ以上の場合には、ユーザが設定した輝度値が有効と判断し、目標算出部４１から得られた目標輝度値Ｎ４が記憶部９４に記憶してある第１の閾値９ｄｈを超える場合、または、第２の閾値９ｄｌに満たない場合には、ユーザが設定した輝度値が無効と判断する。
【００８４】
図１０は、実施の形態５における照明装置にて実行される目標輝度値確認の処理手順を示すフローチャートである。照明装置は、起動時、設定輝度値が変更、または環境温度が変化した場合に、以下の処理を実行する。なお、図１０のフローチャートに示す各処理手順の内、図２のフローチャートの処理手順と同一の手順については、同一のステップ番号を付して詳細な説明を省略する。
【００８５】
照明装置は目標値算出部４１により、目標輝度値を算出する（ステップＳ４１）。算出された目標輝度値は、調光制御部３及び判定部８へ入力される。
【００８６】
判定部８４は、算出された目標輝度値Ｎ４が記憶部９４から読み出した第１の閾値９ｄｈ以上であるか否かを判断する（ステップＳ４２）。判定部８４は、目標輝度値Ｎ４が第１の閾値９ｄｈを超える判断した場合には（Ｓ４２：ＮＯ）、通知部１０は、ユーザが設定した輝度値が無効であることを通知し（ステップＳ４４）、判定部８４は、目標輝度値Ｎ４が第１の閾値９ｄｈ以下であると判断した場合には（Ｓ４２：ＹＥＳ）、更に、目標輝度値Ｎ４が第２の閾値９ｄｌ以上であるか否かを判断する（ステップＳ４３）。判定部８４は、目標輝度値Ｎ４が第２の閾値９ｄｌに満たないと判断した場合には（Ｓ４３：ＮＯ）、通知部１０は、ユーザが設定した輝度値が無効であることを通知し（ステップＳ４４）、判定部８４は、目標輝度値Ｎ４が第２の閾値９ｄｌ以上であると判断した場合には（Ｓ４３：ＹＥＳ）、処理をそのままステップＳ５へ進める。
【００８７】
実施の形態５では、算出された目標輝度値について光量設定可否の判定を行うため、実際に光センサ５にて測定値を取得するためにフィードバック周期を待つ必要なしに、光源の光量を適切な設定範囲で調整することが可能である。
【００８８】
＜実施の形態６＞
実施の形態６では、判定部８によりユーザが設定した輝度値が無効と判断された場合、目標算出部４はユーザが設定した輝度値が所定の条件を満たすように目標輝度値を再算出する構成とする。
【００８９】
図１１は、実施の形態６における照明装置の構成を示すブロック図である。実施の形態６における照明装置は、判定部８によりユーザが設定した輝度値が無効と判断された場合、目標輝度値を再算出する目標値算出部４２を備える。その他の構成については、実施の形態５における構成と同様であるので同一の符号を付して詳細な説明を省略する。
【００９０】
実施の形態６における判定部８４は、記憶部９４に記憶してある第１の閾値９ｄｈと第２の閾値９ｄｌとを読み出すことが可能である。判定部８４は、目標算出部４２から得られた目標輝度値Ｎ４が記憶部９４に記憶してある第１の閾値９ｄｈ以下、かつ、第２の閾値９ｄｌ以上の場合には、ユーザが設定した輝度値が有効と判断し、目標算出部４２から得られた目標輝度値Ｎ４が記憶部９４に記憶してある第１の閾値９ｄｈを超える場合、または、第２の閾値９ｄｌに満たない場合には、ユーザが設定した輝度値が無効と判断する。
【００９１】
目標算出部４２は、判定部８４によってユーザが設定した輝度値が無効と判断された場合、ユーザが設定した輝度値が所定の条件を満たすように目標輝度値を再算出する。
【００９２】
図１２は、実施の形態６における照明装置にて実行される目標輝度値制限の処理手順を示すフローチャートである。照明装置は、起動時、設定輝度値が変更、または環境温度が変化した場合に、以下の処理を実行する。図１２のフローチャートに示す各処理手順の内、図１０のフローチャートの処理手順と同一の手順については、同一のステップ番号を付して詳細な説明を省略する。
【００９３】
照明装置は目標値算出部４１により、目標輝度値を算出する（ステップＳ４０１）。算出された目標輝度値は、調光制御部３及び判定部８へ入力される。
【００９４】
判定部８４は、算出された目標輝度値Ｎ４が記憶部９４から読み出した第１の閾値９ｄｈ以上であるか否かを判断する（ステップＳ４０２）。判定部８４は、目標輝度値Ｎ４が第１の閾値９ｄｈを超えると判断した場合には（Ｓ４０２：ＮＯ）、通知部１０は、ユーザに目標輝度値変更の要否を確認する（ステップＳ４０５）。ユーザが目標輝度値Ｎ４の変更を許可した場合（Ｓ４０５：ＹＥＳ）、目標値算出部４２は、目標輝度値Ｎ４を第１の閾値９ｄｈ以下になるよう目標輝度値Ｎ４´を再算出し（ステップＳ４０６）、通知部１０は、目標輝度値Ｎ４を目標輝度値Ｎ４´に制限したことを通知する（ステップＳ４０７）。ユーザが目標輝度値Ｎ４の変更を許可しない場合（Ｓ４０５：ＮＯ）、通知部１０は、ユーザが設定した輝度値が無効であることを通知する。判定部８４は、目標輝度値Ｎ４が第１の閾値９ｄｈ以下であると判断した場合には（Ｓ４０２：ＹＥＳ）、更に、目標輝度値Ｎ４が第２の閾値９ｄｌ以上であるか否かを判断する（ステップＳ４０３）。判定部８４は、目標輝度値Ｎ４が第２の閾値９ｄｌに満たないと判断した場合には（Ｓ４０３：ＮＯ）、通知部１０は、ユーザに目標輝度値変更の要否を確認する（ステップＳ４０５）。ユーザが目標輝度値Ｎ４の変更を許可した場合（Ｓ４０５：ＹＥＳ）には、目標値算出部４２は、目標輝度値Ｎ４が第２の閾値９ｄｌ以上になるよう目標輝度値Ｎ４´´を再算出し（ステップＳ４０６）、通知部１０は、目標輝度値Ｎ４を目標輝度値Ｎ４´´に制限したことを通知する（ステップＳ４０７）。ユーザが目標輝度値Ｎ４の変更を許可しない場合（Ｓ４０５：ＮＯ）、通知部１０は、ユーザが設定した輝度値が無効であることを通知する。判定部８４は、目標輝度値Ｎ４が第２の閾値９ｄｌ以上であると判断した場合には（Ｓ４０３：ＹＥＳ）、処理をそのままステップＳ５へ進める。
【００９５】
図１３は、実施の形態６における照明装置にて実行される別の目標輝度値制限の処理手順を示すフローチャートである。図１２の処理を実行する照明装置は、目標輝度値の変更の要否をユーザに問い合わせる構成であったが、図１３の処理を実行する照明装置は、自動で目標輝度値を変更する構成とする。照明装置は、起動時、設定輝度値が変更、または環境温度が変化した場合に、以下の処理を実行する。なお、図１３のフローチャートに示す各処理手順の内、図１２のフローチャートの処理手順と同一の手順については、同一のステップ番号を付して詳細な説明を省略する。
【００９６】
判定部８４は、算出された目標輝度値Ｎ４が記憶部９４から読み出した第１の閾値９ｄｈ以上であるか否かを判断する（ステップＳ４０２）。判定部８４は、目標輝度値Ｎ４が第１の閾値９ｄｈを超える判断した場合には（Ｓ４０２：ＮＯ）、目標値算出部４２は、目標輝度値Ｎ４が第１の閾値９ｄｈ以下になるよう目標輝度値Ｎ４´を再算出し（ステップＳ４０６）、通知部１０は、目標輝度値Ｎ４を目標輝度値Ｎ４´に変更、すなわち、設定輝度値を自動で変更したことを通知する（ステップＳ４０７）。判定部８４は、目標輝度値Ｎ４が第１の閾値９ｄｈ以下であると判断した場合には（Ｓ４０２：ＹＥＳ）、更に、目標輝度値Ｎ４が第２の閾値９ｄｌ以上であるか否かを判断する（ステップＳ４０３）。判定部８４は、目標輝度値Ｎ４が第２の閾値９ｄｌに満たないと判断した場合には（Ｓ４０３：ＮＯ）、目標値算出部４２は、目標輝度値Ｎ４が第２の閾値９ｄｌ以上になるよう目標輝度値Ｎ４´´を再算出し（ステップＳ４０６）、通知部１０は、目標輝度値Ｎ４を目標輝度値Ｎ４´´に変更、すなわち、設定輝度値を自動で制限したことを通知する（ステップＳ４０７）。判定部８４は、目標輝度値Ｎ４が第２の閾値９ｄｌ以上であると判断した場合には（Ｓ４０３：ＹＥＳ）、処理をそのままステップＳ５へ進める。
【００９７】
図１４は、実施の形態６における照明装置にて実行される目標輝度値制限解除の処理手順を示すフローチャートである。照明装置は、目標値算出部４２により再算出された目標輝度値で制限されている状態において、設定輝度値が変更、または環境温度が変化した場合に、以下の処理を実行する。なお、図１４のフローチャートに示す各処理手順の内、図１２のフローチャートの処理手順と同一の手順については、同一のステップ番号を付して詳細な説明を省略する。
【００９８】
判定部８４は、算出された目標輝度値Ｎ４が記憶部９４から読み出した第１の閾値９ｄｈ以上であるか否かを判断する（ステップＳ４０２）。判定部８４は、目標輝度値Ｎ４が第１の閾値９ｄｈを超えると判断した場合には（Ｓ４０２：ＮＯ）、目標値算出部４２は、目標輝度値Ｎ４が第１の閾値９ｄｈ以下になるよう目標輝度値Ｎ４´を再算出し、目標輝度値の制限状態を維持する（ステップＳ４１０）。判定部８４は、目標輝度値Ｎ４が第１の閾値９ｄｈ以下であると判断した場合には（Ｓ４０２：ＹＥＳ）、更に、目標輝度値Ｎ４が第２の閾値９ｄｌ以上であるか否かを判断する（ステップＳ４０３）。判定部８４は、目標輝度値Ｎ４が第２の閾値９ｄｌに満たないと判断した場合には（Ｓ４０３：ＮＯ）、通知部１０は、目標輝度値の上限制限解除を通知し（ステップＳ４０８）、目標値算出部４２は、目標輝度値Ｎ４が第２の閾値９ｄｌ以上になるよう目標輝度値Ｎ４´´を再算出し、目標輝度値の制限状態を維持する（ステップＳ４１０）。判定部８４は、目標輝度値Ｎ４が第２の閾値９ｄｌ以上であると判断した場合には（Ｓ４０３：ＹＥＳ）、通知部１０は、目標輝度値の制限解除を通知する（ステップＳ４０９）。
【００９９】
実施の形態６では、再算出された目標輝度値に基づいて設定輝度値を自動で変更するため、ユーザが特別な操作を行うことなく、光源の光量を適切な設定に自動調整することが可能である。
【０１００】
＜変形例１＞
なお、実施の形態１及び実施の形態２と同様に、設定部７から設定輝度値Ｎ１を取得する判定部８または判定部８１を備え、判定部８または判定部８１が設定輝度値Ｎ１と閾値との比較に応じて光量設定の可否を判定し、設定輝度値が無効の場合に、目標算出部４２が目標輝度値を再度算出する構成としてもよい。実施の形態６の変形例１における照明装置の構成を示すブロック図を図１５に示す。
【０１０１】
＜変形例２＞
なお、実施の形態３同様に、測定値取得部６から測定値Ｎ２を取得する判定部８２を備え、判定部８２が測定値Ｎ２と閾値との比較に応じて光量設定の可否を判定し、設定輝度値が無効の場合に、目標算出部４２が目標輝度値を再度算出する構成としてもよい。実施の形態６の変形例２における照明装置の構成を示すブロック図を図１６に示す。
【０１０２】
＜変形例３＞
また、実施の形態４同様に、調光制御部３から調光信号Ｎ３を取得する判定部８３を備え、判定部８３が調光信号Ｎ３と閾値との比較に応じて光量設定の可否を判定し、設定輝度値が無効の場合に、目標算出部４２が目標輝度値を再度算出する構成としてもよい。実施の形態６の変形例３における照明装置の構成を示すブロック図を図１７に示す。
【０１０３】
＜実施の形態７＞
実施の形態７では、判定部８による目標輝度値の制限解除の判断にヒステリシスを持たせる。
【０１０４】
図１８は、実施の形態７における照明装置の構成を示すブロック図である。実施の形態７における照明装置は、２つの閾値とそれに対応する２つの裕度が記憶された記憶部９５を参照する判定部８５を備える。その他の構成については、実施の形態６における構成と同様であるので同一の符号を付して詳細な説明を省略する。
【０１０５】
実施の形態７における判定部８５は、記憶部８５に記憶してある第１の閾値９ｄｈ、第１の裕度９ｄｈｍ、第２の閾値９ｄｌ、および第２の裕度ｄｌｍとを読み出すことが可能である。判定部８５は、目標算出部４３から得られた目標輝度値Ｎ４が記憶部９５に記憶してある第１の閾値９ｄｈ以下、かつ、第２の閾値９ｄｌ以上の場合には、ユーザが設定した輝度値が有効と判断し、目標算出部４２から得られた目標輝度値Ｎ４が記憶部９４に記憶してある第１の閾値９ｄｈを超える場合、または、第２の閾値９ｄｌに満たない場合には、ユーザが設定した輝度値が無効と判断し、目標値算出部４３はユーザが設定した輝度値が所定の条件を満たすように目標輝度値を再算出する。目標値算出部４３によって目標輝度値が制限されている状態で、設定輝度値の変更や周囲温度の変化があった場合、判定部８５は、目標算出部４３から得られた目標輝度値Ｎ４が記憶部９５に記憶してある第１の閾値９ｄｈ以下、かつ、目標輝度値Ｎ４と記憶部９５に記憶してある第１の閾値９ｄｈの差分が第１の裕度９ｄｈｍ以上である場合、または、目標算出部４３から得られた目標輝度値Ｎ４が記憶部９５に記憶してある第２の閾値９ｄｌ以上、かつ目標輝度値Ｎ４と第２の閾値９ｄｌの差分が第２の裕度９ｄｌｍ以上の場合には、ユーザが設定した輝度値が有効と判断し、目標輝度値の制限状態を解除する。
【０１０６】
図１９及び図２０は、実施の形態７における照明装置にて実行される目標輝度値制限解除の処理手順を示すフローチャートである。照明装置は、目標値算出部４３により再算出された目標輝度値で制限されている状態において、設定輝度値が変更、または環境温度が変化した場合に、以下の処理を実行する。なお、図１６のフローチャートに示す各処理手順の内、図１４のフローチャートの処理手順と同一の手順については、同一のステップ番号を付して詳細な説明を省略する。
【０１０７】
照明装置は目標値算出部４３により、目標輝度値を算出する（ステップＳ４１１）。算出された目標輝度値は、調光制御部３及び判定部８５へ入力される。
【０１０８】
判定部８５は、算出された目標輝度値Ｎ４が記憶部９４から読み出した第１の閾値９ｄｈ以下であるか否かを判断する（ステップＳ４１２）。目標輝度値Ｎ４が第１の閾値９ｄｈを超えると判断した場合には（Ｓ４１２：ＮＯ）、目標値算出部４３は、目標輝度値Ｎ４が第１の閾値９ｄｈ以下となるよう目標輝度値Ｎ４´を再算出し、目標値制限状態を維持する（ステップＳ４２１）。判定部８５は、目標輝度値Ｎ４が第１の閾値９ｄｈ以下であると判断した場合には（Ｓ４１２：ＹＥＳ）更に、目標輝度値Ｎ４と第１の閾値９ｄｈの差分算出し（ステップＳ４１３）、差分が第１の裕度９ｄｈｍ以上であるか否かを判断する（ステップＳ４１４）。目標輝度値Ｎ４と第１の閾値９ｄｈの差分が第１の閾値９ｄｈｍに満たない場合には（Ｓ４１４：ＮＯ）、目標値算出部４３は、目標輝度値が第１の閾値９ｄｈ以下となるよう目標輝度値Ｎ４´を再算出し、目標値制限状態を維持する（ステップＳ４２１）。目標輝度値Ｎ４と第１の閾値９ｄｈの差分が第１の閾値９ｄｈｍ以上の場合には（Ｓ４１４：ＹＥＳ）、判定部８５は、さらに、目標輝度値Ｎ４が記憶部９４から読み出した第２の閾値９ｄｌ以上であるか否かを判断する（ステップＳ４１５）。目標輝度値Ｎ４が第２の閾値９ｄｌに満たないと判断した場合には（Ｓ４１５：ＮＯ）、通知部１０は、目標輝度値の上限制限解除を通知し（ステップＳ４１９）、目標値算出部４３は、目標輝度値が第２の閾値９ｄｌ以上となるよう目標輝度値Ｎ４´´を再算出し、目標値制限状態を維持する（ステップＳ４２０）。判定部８５は、目標輝度値Ｎ４が第２の閾値９ｄｌ以上であると判断した場合には（Ｓ４１５：ＹＥＳ）更に、目標輝度値Ｎ４と第２の閾値９ｄｌの差分算出し（ステップＳ４１６）、差分が第２の裕度９ｄｌｍ以上であるか否かを判断する（ステップＳ４１７）。目標輝度値Ｎ４と第２の閾値９ｄｌの差分が第２の閾値９ｄｌｍに満たない場合には（Ｓ４１７：ＮＯ）、通知部１０は、目標輝度値の上限制限解除を通知し（ステップＳ４１９）、目標値算出部４３は、目標輝度値が第２の閾値９ｄｌ以上となるよう目標輝度値Ｎ４´´を再算出し、目標値制限状態を維持する（ステップＳ４２１）。目標輝度値Ｎ４と第２の閾値９ｄｌの差分が第２の閾値９ｄｌｍ以上の場合には（Ｓ４１７：ＹＥＳ）、通知部１０は、目標輝度値の制限解除を通知する（ステップＳ４１８）。
【０１０９】
判定部８５による目標値制限の処理手順は、実施の形態６に示した判定部８４による処理手順（図１２及び図１３）と同様であるので、詳細な説明を省略する。
【０１１０】
実施の形態６では、目標輝度値の制限解除の判断にヒステリシスを持たされる。したがって、目標輝度値の制限および制限解除が不要に繰り返されることを回避できる。
【０１１１】
＜変形例１＞
なお、実施の形態１及び実施の形態２と同様に、設定部７から設定輝度値Ｎ１を取得する判定部８または判定部８１を備え、判定部８または判定部８１が設定輝度値Ｎ１と閾値、及びそれに対応する裕度を参照して目標輝度値の制限および制限解除を切り替える構成としてもよい。実施の形態７の変形例１における照明装置の構成を示すブロック図を図２１に示す。
【０１１２】
＜変形例２＞
なお、実施の形態３同様に、測定値取得部６から測定値Ｎ２を取得する判定部８２を備え、判定部８２が測定値Ｎ２と閾値、及びそれに対応する裕度を参照して目標輝度値の制限および制限解除を切り替える構成としてもよい。実施の形態７の変形例２における照明装置の構成を示すブロック図を図２２に示す。
【０１１３】
＜変形例３＞
また、実施の形態４同様に、調光制御部３から調光信号Ｎ３を取得する判定部８３を備え、判定部８３が調光信号Ｎ３と閾値、及びそれに対応する裕度を参照して目標輝度値の制限および制限解除を切り替える構成としてもよい。実施の形態７の変形例３における照明装置の構成を示すブロック図を図２３に示す。
【０１１４】
＜実施の形態８＞
実施の形態８では、判定部８により設定輝度値Ｎ１、光センサ５の測定値Ｎ２、目標輝度値Ｎ４に基づき、光量設定の可否判定、および目標輝度値制限要否判定を行う構成とする。
【０１１５】
図２４は、実施の形態８における照明装置の構成を示すブロック図である。実施の形態８における照明装置は、設定部７で受け付けられた設定輝度値Ｎ１の取得をトリガに、光量設定可否の判断をし、目標値算出部４３で算出された目標輝度値Ｎ４をトリガに目標輝度値制限を判断し、光センサ５の測定値Ｎ２の出力をトリガに目標輝度値制限解除を判断する判定部８６と、設定輝度値Ｎ１に対する閾値、目標輝度値Ｎ４に対する閾値、光センサ５の測定値Ｎ２に対する閾値およびこれに対応する裕度とを記憶する記憶部９６を備える。その他の構成については、実施の形態７における構成と同様であるので同一の符号を付して詳細な説明を省略する。
【０１１６】
実施の形態８における照明装置の判定部８６は、記憶部９６に記憶してある第１の輝度閾値９ａｈ、第２の輝度閾値９ａｌ、第１の目標値閾値９ｄｈ、第２の目標値閾値９ｄｌ、第１の測定値閾値９ｂｈ、第１の測定値裕度９ｂｈｍ、第２の測定値閾値９ｂｌ、および第２の測定値裕度９ｂｌｍとを読み出すことが可能である。まず、判定部８６は、設定輝度値Ｎ１の取得をトリガに、光量設定可否の判断を行う。判定部８６は、設定部７から取得した輝度設定値Ｎ１が、記憶部９６に記憶してある第１の輝度閾値９ａｈ以下、かつ、第２の輝度閾値９ａｌ以上の場合には、ユーザが設定した輝度値が有効と判断し、設定部７から取得した輝度設定値Ｎ１が、記憶部９６に記憶してある第１の輝度閾値９ａｈを超える場合、または、第２の輝度閾値９ａｌに満たない場合には、ユーザが設定した輝度値が無効と判断する。
【０１１７】
このとき、通知部１０は、判定部８６の判定結果をユーザに通知する。通知の方法は、ＬＥＤ等を用いた警告ランプの表示色を変更してもよいし、点滅等の点灯状態を変更してもよい。また、本発明を表示装置のバックライトとして用いる場合は、ＯＳＤを用いて判定部８６の判定結果を通知してもよいし、ユーザに設定輝度値の再設定を促す警告表示でもよい。なお通知部１０は、判定部８の判定結果が変更になった場合のみ通知を行うことが好ましい。
【０１１８】
また、判定部８６は、目標値算出部４３で算出された目標輝度値Ｎ４をトリガに目標輝度値制限を判断する。判定部８６は、記憶部９６に記憶してある第１の目標値閾値９ｄｈと第２の目標値閾値９ｄｌとを読み出すことが可能である。判定部８６は、目標算出部４３から得られた目標輝度値Ｎ４が記憶部９６に記憶してある第１の目標値閾値９ｄｈ以下、かつ、第２の目標値閾値９ｄｌ以上の場合には、ユーザが設定した輝度値が有効と判断し、目標算出部４３から得られた目標輝度値Ｎ４が記憶部９６に記憶してある第１の目標値閾値９ｄｈを超える場合、または、第２の目標値閾値９ｄｌに満たない場合には、ユーザが設定した輝度値が無効と判断する。
【０１１９】
目標算出部４３は、判定部８４によってユーザが設定した輝度値が無効と判断された場合、ユーザが設定した輝度値が所定の条件を満たすように目標輝度値を再算出する。
【０１２０】
さらに、目標値算出部４３によって目標輝度値が制限されている場合に、判定部８６は、目標輝度値制光センサ５の測定値Ｎ２の出力をトリガに目標輝度値制限解除を判断する。記憶部８６に記憶してある第１の測定値閾値９ｂｈ、第１の測定値裕度９ｂｈｍ、第２の測定値閾値９ｂｌ、および第２の測定値裕度９ｂｌｍとを読み出すことが可能である。目標値算出部４３によって再算出された目標輝度値で制限されている状態で、設定輝度値の変更や周囲温度の変化があった場合、判定部８６は、測定値取得部６から得られた測定値Ｎ２が記憶部９６に記憶してある第１の閾値９ｂｈ以下、かつ、測定値Ｎ２と第１の閾値９ｂｈの差分が第１の裕度９ｂｈｍ以上である場合、または、測定値取得部６から得られた測定値Ｎ２が記憶部９６に記憶してある第２の測定値閾値９ｂｌ以上、かつ測定値Ｎ２と第２の閾値９ｂｌの差分が第２の裕度９ｂｌｍ以上の場合には、ユーザが設定した輝度値が有効と判断し、目標輝度値の制限状態を解除する。
【０１２１】
判定部８６による処理手順は、実施の形態２に示した判定部８１（図３）、実施の形態６に示した判定部８４（図１１）、および実施の形態７に示した判定部８５（図２０）と同様であるので、詳細な説明を省略する。
【０１２２】
＜変形例＞
なお、判定部８により設定輝度値Ｎ１、調光信号Ｎ３、目標輝度値Ｎ４に基づき、光量設定の可否判定、および目標輝度値制限要否判定を行う構成としてもよい。実施例８の変形例における照明装置の構成を示すブロック図を図２５に示す。
【０１２３】
＜実施の形態９＞
実施の形態９では、本発明に係る照明装置をバックライトとして用いる表示装置の例を示す。
【０１２４】
図２６は、実施の形態９における表示装置１００の構成を示すブロック図である。表示装置１００は、本発明に係る光源１、光源駆動部２、調光制御部３、目標値算出部４、光センサ５、測定値取得部６、及び判定部８を有する照明装置を内部に備える。照明装置１００は更に、他の映像信号出力装置（図示せず）から映像信号を入力する映像信号入力部１０１と、入力した映像信号に対して適宜画像処理を実行する画像処理部１０２と、画像処理部１０２による処理がされた映像信号に応じて光変調部１０４を駆動する光変調部駆動部１０３と、光変調部１０４とを備える。
【０１２５】
画像処理部１０２は、入力された映像信号に対して適宜画像処理を行う。例えば、設定部９にて設定されている目標輝度値が最大輝度の３割程度の低輝度である場合に、特定の色成分を強くするなどの画像処理を行うようにしてある。映像信号の映像の種類に応じて色温度を変更する画像処理を行ってもよい。この場合、変更した結果の色温度が目標値算出部４に入力され、映像信号に施される画像処理の内容に応じて目標輝度値が算出される構成としてもよい。
【０１２６】
光変調部１０４は、例えば透過型の光変調素子を用いる液晶であり、光変調部駆動部１０３は液晶駆動部である。他の光変調素子を用いる構成としてもよい。
【０１２７】
このように、表示装置にて用いるバックライトに、本発明の照明装置を利用することにより、光源の調光特徴量に応じて光量や色温度の設定可否の判定や光量や色温度の設定範囲の切り替えができるので、経年変化や温度変化によって光源の発光特性が変動した場合であっても、光源の光量を適切な設定範囲で調整することができる。
【０１２８】
実施の形態９における表示装置１００が内蔵する照明装置は、実施の形態１から８及び変形例のいずれの照明装置であってもよいことは勿論である。
【符号の説明】
【０１２９】
１  光源
２  光源駆動部
３  調光制御部
４，４１，４２，４３  目標値算出部
５  光センサ
６  測定値取得部
７  設定部
８，８１，８２，８３，８４，８５，８６，８７，８８，８０１，８０２  判定部
９，９１，９２，９３，９４，９５，９６，９７，９８，９０１，９０２  記憶部
１０  通知部
１１  温度センサ
２０  センサ群
Ｎ１  設定輝度値（調光特徴量）
Ｎ２  光センサの測定値（調光特徴量）
Ｎ３  調光信号（調光特徴量）
Ｎ４  目標輝度値（調光特徴量）
【図１】
2013211218.tif 000003
【図２】
2013211218.tif 000004
【図３】
2013211218.tif 000005
【図４】
2013211218.tif 000006
【図５】
2013211218.tif 000007
【図６】
2013211218.tif 000008
【図７】
2013211218.tif 000009
【図８】
2013211218.tif 000010
【図９】
2013211218.tif 000011
【図１０】
2013211218.tif 000012
【図１１】
2013211218.tif 000013
【図１２】
2013211218.tif 000014
【図１３】
2013211218.tif 000015
【図１４】
2013211218.tif 000016
【図１５】
2013211218.tif 000017
【図１６】
2013211218.tif 000018
【図１７】
2013211218.tif 000019
【図１８】
2013211218.tif 000020
【図１９】
2013211218.tif 000021
【図２０】
2013211218.tif 000022
【図２１】
2013211218.tif 000023
【図２２】
2013211218.tif 000024
【図２３】
2013211218.tif 000025
【図２４】
2013211218.tif 000026
【図２５】
2013211218.tif 000027
【図２６】
2013211218.tif 000028
【図２７】
2013211218.tif 000029